(57)【要約】【課題】作物の被害を農業従事者に診断させることができるサーバ装置、データベースシステム、及び検索プログラムを提供することである。【解決手段】実施形態のサーバ装置は、データベースと、制御部と、通信部とを備える。データベースは、作物に予め対応付けられた情報と、作物の病気の診断のポイントを表す情報とを対応付けて記憶する。制御部は、作物に予め対応付けられた情報に基づいて、作物の病気の診断のポイントを表す情報を検索する。通信部は、検索された作物の病気の診断のポイントを表す情報を情報端末に送信する。【選択図】図１
2019061706.tif 000002
【特許請求の範囲】
【請求項１】
作物に予め対応付けられた情報と、前記作物の病気の診断のポイントを表す情報とを対応付けて記憶するデータベースと、
前記作物に予め対応付けられた情報に基づいて、前記作物の病気の診断のポイントを表す情報を検索する制御部と、
検索された前記作物の病気の診断のポイントを表す情報を、情報端末に送信する通信部と
を備えるサーバ装置。
【請求項２】
前記作物の病気の診断のポイントを表す情報は、前記作物の果実における陥没の位置、及び形状を表す文字情報である、
請求項１に記載のサーバ装置。
【請求項３】
前記作物の病気の診断のポイントを表す情報は、前記作物の果実の形状の特徴を表す文字情報である、
請求項１又は請求項２に記載のサーバ装置。
【請求項４】
前記作物の病気の診断のポイントを表す情報は、病原及び害虫の生態を表す情報と、病原及び害虫の発生しやすい条件を表す情報とのうちの少なくとも一方を含む、
請求項１から請求項３のいずれか一項に記載のサーバ装置。
【請求項５】
前記データベースは、前記作物に予め対応付けられた情報と、前記作物の病気の防除法を表す情報とを対応付けて記憶し、
前記制御部は、前記作物に予め対応付けられた情報に基づいて、前記作物の病気の防除法を表す情報を検索し、
前記通信部は、検索された前記作物の病気の防除法を表す情報を、前記情報端末に送信する、
請求項１から請求項４のいずれか一項に記載のサーバ装置。
【請求項６】
前記作物の病気の防除法を表す情報は、前記作物の病気の原因となる害虫の天敵を利用した方法を表す情報である、
請求項１から請求項５のいずれか一項に記載のサーバ装置。
【請求項７】
作物に予め対応付けられた情報と、前記作物の病気の診断のポイントを表す情報とを対応付けて記憶するデータベースと、
前記作物に予め対応付けられた情報に基づいて、前記作物の病気の診断のポイントを表す情報を検索する制御部と、
検索された前記作物の病気の診断のポイントを表す情報を、情報端末に送信する通信部と
を有するサーバ装置と、
前記作物の病気の診断のポイントを表す情報を受信する受信部と、
受信した前記作物の病気の診断のポイントを表す情報を表示する表示部と
を有する情報端末と
を備えるデータベースシステム。
【請求項８】
コンピュータに、
作物に予め対応付けられた情報と、前記作物の病気の診断のポイントを表す情報とを対応付けて記憶するデータベースにアクセスし、前記作物に予め対応付けられた情報に基づいて、前記作物の病気の診断のポイントを表す情報を検索する手順と、
検索された前記作物の病気の診断のポイントを表す情報を、情報端末に送信する手順と
を実行させるための検索プログラム。
【発明の詳細な説明】
【技術分野】
【０００１】
本発明は、サーバ装置、データベースシステム、及び検索プログラムに関する。
【背景技術】
【０００２】
作物が害虫などの被害を受けた場合、農業従事者は、農薬を使用する場合がある。農業従事者は、使用する農薬を選択するには、作物の被害を診断する必要がある。農薬使用基準に適合する農薬を判定することを目的とする装置が、特許文献１に開示されている。
【先行技術文献】
【特許文献】
【０００３】
【特許文献１】特開２００６−３０２１８５号公報
【発明の概要】
【発明が解決しようとする課題】
【０００４】
しかしながら、サーバ装置は、作物の被害を農業従事者に診断させることができない場合があった。
【０００５】
本発明が解決しようとする課題は、作物の被害を農業従事者に診断させることができるサーバ装置、データベースシステム、及び検索プログラムを提供することである。
【課題を解決するための手段】
【０００６】
実施形態のサーバ装置は、データベースと、制御部と、通信部とを備える。データベースは、作物に予め対応付けられた情報と、作物の病気の診断のポイントを表す情報とを対応付けて記憶する。制御部は、作物に予め対応付けられた情報に基づいて、作物の病気の診断のポイントを表す情報を検索する。通信部は、検索された作物の病気の診断のポイントを表す情報を、情報端末に送信する。
【発明の効果】
【０００７】
本発明により、制御部は、作物に予め対応付けられた情報に基づいて、作物の画像を検索する。通信部は、検索された作物の画像を情報端末に送信する。これにより、実施形態のサーバ装置、データベースシステム、及び検索プログラムは、作物の被害を農業従事者に診断させることができる。
【図面の簡単な説明】
【０００８】
【図１】一実施形態における、データベースシステムの図である。
【図２】一実施形態における、作物に予め対応付けられた情報のデータテーブルの図である。
【図３】一実施形態における、害虫に予め対応付けられた情報のデータテーブルの図である。
【図４】一実施形態における、対象から除外される害虫に予め対応付けられた情報のデータテーブルの図である。
【図５】一実施形態における、農薬の基本情報のデータテーブルの図である。
【図６】一実施形態における、農薬の基本情報のデータテーブルの図である。
【図７】一実施形態における、農薬の成分情報のデータテーブルの図である。
【図８】一実施形態における、農薬の適用情報のデータテーブルの図である。
【図９】一実施形態における、農薬の適用情報のデータテーブルの図である。
【図１０】一実施形態における、農薬の銘柄のデータテーブルの図である。
【図１１】一実施形態における、農薬の銘柄のデータテーブルの図である。
【図１２】一実施形態における、サーバ装置の動作を表すフローチャートである。
【図１３】一実施形態における、サーバ装置が提供するウェブサイトのトップページの図である。
【図１４】一実施形態における、目次を含むページの第１の図である。
【図１５】一実施形態における、目次を含むページの第２の図である。
【図１６】一実施形態における、目次を含むページの第３の図である。
【図１７】一実施形態における、作物名を絞り込むためのページの図である。
【図１８】一実施形態における、絞り込んだ作物名から作物名を選択するためのページの図である。
【図１９】一実施形態における、選択した作物名の作物の診断情報を含むページの図である。
【図２０】一実施形態における、診断情報を含むページの第１の図である。
【図２１】一実施形態における、診断情報を含むページの第２の図である。
【図２２】一実施形態における、診断情報を作物ごとに検索するためのページの図である。
【図２３】一実施形態における、診断情報を作物の部位ごとに表すページの図である。
【図２４】一実施形態における、総合防除情報を表すページの図である。
【図２５】一実施形態における、登録農薬情報を検索するためのページの図である。
【図２６】一実施形態における、絞り込んだ作物名から病気等を検索するためのページの図である。
【図２７】一実施形態における、作物の病気から農薬の使い方を検索するためのページの図である。
【図２８】一実施形態における、作物の病気に対応付けられた農薬の適用表を表す図である。
【図２９】一実施形態における、農薬名を絞り込むためのページの図である。
【図３０】一実施形態における、絞り込んだ農薬名から農薬名を選択するためのページの図である。
【図３１】一実施形態における、農薬の詳細情報を検索するためのページの図である。
【図３２】一実施形態における、農薬の適用表を表す図である。
【図３３】一実施形態における、農薬の種類から農薬名を絞り込むためのページの図である。
【図３４】一実施形態における、農薬名を絞り込むためのページの図である。
【発明を実施するための形態】
【０００９】
以下、実施形態のサーバ装置、データベースシステム、及び検索プログラムを、図面を参照して説明する。
図１は、一実施形態における、データベースシステム１の図である。データベースシステム１は、作物の病気や害虫を診断するための情報（以下、「診断情報」という。）を、農業従事者に提供する。また、データベースシステム１は、作物の病気や害虫を防ぎ除くための情報（以下、「防除情報」という。）を、農業従事者に提供してもよい。
【００１０】
データベースシステム１は、情報端末１０と、通信回線２０と、サーバ装置３０とを備える。情報端末１０は、複数でもよい。つまり、データベースシステム１は、情報端末１０−１〜１０−Ｎ（Ｎは、２以上の整数）を備えてもよい。また、データベースシステム１は、サーバ装置４０を更に備えていてもよい。サーバ装置４０は、例えば、農薬のメーカーのウェブサイトを提供する。
【００１１】
情報端末１０の構成について説明する。
情報端末１０は、サーバ装置３０が提供するウェブサイトに、通信回線２０を介してアクセスする。情報端末１０は、サーバ装置３０から取得したリンク情報に基づいて、サーバ装置４０にアクセスしてもよい。情報端末１０は、サーバ装置３０が提供するウェブサイトから、作物の病気や害虫を診断するための情報を取得する。情報端末１０は、サーバ装置３０が提供するウェブサイトから、作物の病気や害虫を防除するための情報を取得する。情報端末１０は、例えば、パーソナルコンピュータ、スマートフォン、タブレット端末や、携帯電話である。農業従事者は、情報端末１０を操作可能である。
【００１２】
情報端末１０は、操作部１１と、記憶部１２と、通信部１３と、制御部１４と、表示部１５とを備える。通信部１３と、制御部１４とのうち一部または全部は、例えば、ＣＰＵ（Central Processing Unit）等のプロセッサが、記憶部１２に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００１３】
操作部１１は、操作を受け付ける。操作部１１は、例えば、キーボード、マウス、タッチパネルである。操作部１１は、タッチパネルである場合、表示部１５と一体でもよい。操作部１１は、操作に応じた信号を、制御部１４に送信する。操作に応じた信号は、例えば、会員番号やパスワードを表す信号である。
【００１４】
記憶部１２は、例えば、ＲＯＭ（Read Only Memory）、フラッシュメモリ、ＨＤＤ（Hard Disk Drive）などの不揮発性の記憶媒体（非一時的な記憶媒体）を有する。記憶部１２は、例えば、ＲＡＭ（Random Access Memory）やレジスタなどの揮発性の記憶媒体を有していてもよい。記憶部１２は、例えば、ソフトウェア機能部を機能させるためのプログラムを記憶してもよい。記憶部１２は、例えば、情報端末１０を識別するための識別情報を記憶する。
【００１５】
通信部１３は、制御部１４による制御に応じて、通信回線２０を介してサーバ装置３０との通信を実行する。これにより、通信部１３は、サーバ装置３０が提供するウェブサイトに、アクセスすることができる。通信部１３は、例えば、ＴＣＰ(Transmission Control Protocol)と、ＩＰ(Internet Protocol)とに基づいて、サーバ装置３０との通信を実行する。
【００１６】
通信部１３は、自情報端末に割り当てられた識別情報を、サーバ装置３０に送信する。識別情報は、会員番号とパスワードを含む。識別情報は、自情報端末に割り当てられたＩＰアドレスを含んでもよい。通信部１３は、サーバ装置３０に記憶されている各種の情報を要求する情報を、サーバ装置３０に送信する。通信部１３は、農業従事者等によって撮影された作物の画像を、サーバ装置３０に送信してもよい。
【００１７】
通信部１３は、サーバ装置３０に記憶されている作物の画像を、サーバ装置３０から受信する。通信部１３は、受信した作物の画像を、制御部１４に転送する。通信部１３は、診断情報をサーバ装置３０から受信する。通信部１３は、受信した診断情報を制御部１４に転送する。通信部１３は、防除情報をサーバ装置３０から受信する。通信部１３は、受信した防除情報を、制御部１４に転送する。総合防除情報とは、診断情報と防除情報を含む情報である。総合防除情報は、環境を保全することが可能な総合防除情報（環境保全型の総合防除情報）でもよい。
【００１８】
通信部１３は、害虫等に対する天敵を利用した防除情報を、サーバ装置３０から受信する。通信部１３は、害虫等に対する天敵を利用した防除情報を、制御部１４に転送する。通信部１３は、登録農薬情報をサーバ装置３０から受信する。通信部１３は、受信した登録農薬情報を制御部１４に転送する。通信部１３は、殺菌剤に対応付けられた情報である殺菌剤情報を、サーバ装置３０から受信する。通信部１３は、受信した殺菌剤情報を、制御部１４に転送する。殺菌剤情報は、殺虫剤に対応付けられた情報である殺虫剤情報でもよい。通信部１３は、農薬散布器具情報をサーバ装置３０から受信する。通信部１３は、受信した農薬散布器具情報を、制御部１４に転送する。
【００１９】
制御部１４は、操作に応じた信号を操作部１１から取得する。制御部１４は、操作に応じた信号に基づいて、通信部１３を制御する。制御部１４は、操作に応じた信号に基づいて、表示部２５を制御する。例えば、制御部１４は、通信部１３から取得した各種の情報を、操作に応じた信号に基づいて表示部２５に表示させる。これにより、制御部１４は、サーバ装置３０又はサーバ装置４０が提供するウェブサイトのページを、表示部２５に表示させることができる。
【００２０】
表示部１５は、制御部１４による制御に基づいて、制御部１４が通信部１３から取得した各種の情報を表示する。これら各種の情報の詳細については後述する。表示部１５は、例えば、液晶パネルや、有機ＥＬ（Organic Electro Luminescence）パネルである。
【００２１】
サーバ装置３０の構成について説明する。
サーバ装置３０は、各種の情報を取得可能なウェブサイトを提供する。各種の情報は、例えば、診断情報と防除情報である。このウェブサイトは、情報端末１０からアクセス可能である。つまり、このウェブサイトのページは、情報端末１０の表示部１５に表示される。このウェブサイトのページは、例えば、情報端末１０の操作部１１を介した操作が可能なページである。この操作は、例えば、ウェブサイトのページを介して情報を検索するための操作キー画像に対する押下操作である。
【００２２】
このウェブサイトは、目次を含むページと、作物名を絞り込むためのページと、絞り込んだ作物名から作物名を選択するためのページと、選択した作物名の作物の診断情報を含むページと、診断情報を含むページと、診断情報を作物ごとに検索するためのページと、診断情報を作物の部位ごとに表すページと、総合防除情報を表すページとを含む。また、このウェブサイトは、登録農薬情報を検索するためのページと、絞り込んだ作物名から病気等を検索するためのページと、作物の病気から農薬の使い方を検索するためのページと、農薬名を絞り込むためのページと、絞り込んだ農薬名から農薬名を選択するためのページと、農薬の詳細情報を検索するためのページと、農薬の種類から農薬名を絞り込むためのページと、農薬名を絞り込むためのページとを含む。
【００２３】
サーバ装置３０は、操作部３１と、データベース３２と、記憶部３３と、制御部３４と、通信部３５とを備える。制御部３４と、通信部３５とのうち一部または全部は、例えば、ＣＰＵ等のプロセッサが、記憶部３３に記憶されたプログラムを実行することにより機能するソフトウェア機能部である。また、これらの機能部のうち一部または全部は、ＬＳＩやＡＳＩＣ等のハードウェア機能部であってもよい。
【００２４】
操作部３１は、操作を受け付ける。操作部３１は、例えば、操作キーである。操作部３１は、操作に応じた信号を、制御部３４に送信する。操作に応じた信号は、例えば、電源のモード（オン、オフ）を表す信号である。
【００２５】
データベース３２は、サーバ装置３０が提供するウェブサイトから取得可能な各種の情報を記憶する。データベース３２は、これら各種の情報を、例えば、データテーブルの形式で記憶する。データベース３２は、例えば、作物の画像を記憶する。
【００２６】
図２は、一実施形態における、作物に予め対応付けられた情報のデータテーブルの図である。データベース３２は、作物に予め対応付けられた情報のデータテーブルを記憶する。このデータテーブルの項目には、作物名と、作物仮名と、仮名頭文字と、分類と、適用作物と、呼称と、正式名称とがある。これらの項目は、互いに対応付けられて、データベース３２に記憶される。
【００２７】
図３は、一実施形態における、害虫に予め対応付けられた情報のデータテーブルの図である。データベース３２は、害虫に予め対応付けられた情報のデータテーブルを記憶する。このデータテーブルの項目には、害虫名と、害虫仮名と、仮名頭文字と、分類と、適用害虫とがある。これらの項目は、互いに対応付けられて、データベース３２に記憶される。
【００２８】
図４は、一実施形態における、対象から除外される害虫に予め対応付けられた情報のデータテーブルの図である。データベース３２は、除外される害虫に予め対応付けられた情報のデータテーブルを記憶する。このデータテーブルの項目には、害虫雑草名と、除外される害虫雑草名と、除外される地域とがある。これらの項目は、互いに対応付けられて、データベース３２に記憶される。
【００２９】
図５及び図６は、一実施形態における、農薬の基本情報のデータテーブルの図である。データベース３２は、農薬の基本情報のデータテーブルを記憶する。このデータテーブルの項目には、登録番号と、農薬の種類と、農薬の名称と、正式名称と、有効成分と、総使用回数ごとの有効成分と、濃度と、混合数と、用途と、剤型名と、登録年月日と、登録の有効期限とがある。これらの項目は、互いに対応付けられて、データベース３２に記憶される。
【００３０】
図７は、一実施形態における、農薬の成分情報のデータテーブルの図である。データベース３２は、農薬の成分情報のデータテーブルを記憶する。このデータテーブルの項目には、登録番号と、成分名と、毒性成分名と、系統名と、効果と、用途と、製剤毒性と、魚毒性とがある。これらの項目は、互いに対応付けられて、データベース３２に記憶される。
【００３１】
図８及び図９は、一実施形態における、農薬の適用情報のデータテーブルの図である。データベース３２は、農薬の適用情報のデータテーブルを記憶する。このデータテーブルの項目には、登録番号と、用途と、農薬の種類と、農薬の名称と、略称と、作物名と、適用場所と、適用害虫雑草名と、使用目的と、希釈倍率と、散布液量と、使用時期と、使用回数と、使用方法と、混合数と、有効成分ごとの農薬の使用回数とがある。これらの項目は、互いに対応付けられて、データベース３２に記憶される。
【００３２】
図８及び図９では、登録番号「００１」は、一例として、用途「殺虫剤」に対応付けられている。登録番号「００２」は、一例として、用途「殺菌剤」に対応付けられている。登録番号「００３」は、一例として、用途「除草剤」に対応付けられている。登録番号「００４」は、一例として、用途「殺そ剤」に対応付けられている。登録番号「００５」は、一例として、用途「その他」に対応付けられている。
【００３３】
図１０及び図１１は、一実施形態における、農薬の銘柄のデータテーブルの図である。データベース３２は、農薬の銘柄のデータテーブルを記憶する。このデータテーブルの項目には、登録番号と、一般名と、商品名と、銘柄名と、一般名仮名と、商品名仮名と、銘柄名仮名と、仮名頭文字と、種類と、劇毒と、更新日と、混合と、登録期限と、メーカーと、リンクと、取扱説明と、画像と、化学物質等安全性データシート（MSDS: Material Safety Data Sheet）とがある。これらの項目は、互いに対応付けられて、データベース３２に記憶される。
【００３４】
図１０及び図１１では、登録番号「００１」は、一例として、種類「殺虫剤」と、メーカー「Ａ１」と、リンク「ＵＲＬ１」と、取扱説明「Ｂ１」と、画像「Ｃ１」と、化学物質等安全性データシート「Ｄ１」とに対応付けられている。登録番号「００２」は、一例として、種類「殺菌剤」と、メーカー「Ａ２」と、リンク「ＵＲＬ２」と、取扱説明「Ｂ２」と、画像「Ｃ２」と、化学物質等安全性データシート「Ｄ２」とに対応付けられている。登録番号「００３」は、一例として、種類「除草剤」と、メーカー「Ａ３」と、リンク「ＵＲＬ３」と、取扱説明「Ｂ３」と、画像「Ｃ３」と、化学物質等安全性データシート「Ｄ３」とに対応付けられている。登録番号「００４」は、一例として、種類「殺そ剤」と、メーカー「Ａ４」と、リンク「ＵＲＬ４」と、取扱説明「Ｂ４」と、画像「Ｃ４」と、化学物質等安全性データシート「Ｄ４」とに対応付けられている。登録番号「００５」は、一例として、種類「その他」と、メーカー「Ａ５」と、リンク「ＵＲＬ５」と、取扱説明「Ｂ５」と、画像「Ｃ５」と、化学物質等安全性データシート「Ｄ５」とに対応付けられている。
【００３５】
記憶部３３は、例えば、ＲＯＭ、フラッシュメモリ、ＨＤＤなどの不揮発性の記憶媒体（非一時的な記憶媒体）を有する。記憶部３３は、例えば、ＲＡＭやレジスタなどの揮発性の記憶媒体を有していてもよい。記憶部３３は、例えば、ソフトウェア機能部を機能させるためのプログラムを記憶してもよい。記憶部３３は、例えば、情報端末１０を識別するための識別情報を記憶する。記憶部３３は、例えば、データベース３２に記憶されているデータの一部を、キャッシュして記憶してもよい。
【００３６】
制御部３４は、操作に応じた信号を操作部３１から取得する。制御部３４は、操作に応じた信号に基づいて、通信部３５を制御する。制御部３４は、操作に応じた信号に基づいて、サーバ装置３０の電源を制御する。
【００３７】
制御部３４は、通信部３５から取得した情報に基づいて、データベース３２に記憶されている情報を、データベース３２から取得する。通信部３５から取得した情報は、例えば、データベース３２に記憶されている情報を検索して情報端末１０に送信するよう情報端末１０がサーバ装置３０に要求するための情報（以下、「要求情報」という。）である。要求情報は、例えば、作物に対応付けられた情報を含む。作物に対応付けられた情報は、例えば、作物名や、作物の病名である。要求情報は、例えば、農薬に対応付けられた情報を含んでもよい。農薬に対応付けられた情報は、例えば、農薬名や、農薬の成分名、農薬の銘柄情報、農薬の取扱説明書情報や、農薬の化学物質等安全性データシートである。制御部３４は、通信部３５から取得した情報に基づいてデータベース３２から取得した各種の情報を、通信部３５に送信する。
【００３８】
制御部３４は、農業従事者等によって撮影された作物の画像を、通信部３５を介して取得してもよい。制御部３４は、農業従事者等によって撮影された作物の画像と、データベース３２に記憶されている作物の画像群との画像マッチングを実行してもよい。この場合、情報端末１０は、カメラ１６を更に備えてもよい。カメラ１６は、光学系を介して撮影する。制御部１４は、操作に応じた信号に基づいて、カメラ１６を制御する。制御部１４は、カメラ１６が撮影した画像を、通信部１３を介してサーバ装置３０に送信する。
【００３９】
例えば、制御部３４は、農業従事者等によって撮影された作物の画像に最も類似する画像を、データベース３２に記憶されている画像群から抽出する。制御部３４は、抽出した画像を、通信部３５を介して情報端末１０に送信する。これにより、制御部３４は、農業従事者等によって撮影された作物、作物の病気や害虫を、容易に特定することができる。また、制御部３４は、抽出した作物の情報、作物の病気や害虫の情報を、通信部３５を介して情報端末１０に送信する。
【００４０】
例えば、制御部３４は、作物が異なる角度から撮影された複数の画像に対して、画像マッチング処理を施してもよい。作物は立体形状を有しているので、制御部３４は、異なる角度から撮影された複数の画像に基づいて画像マッチング処理を実行することにより、農業従事者等によって撮影された作物、作物の病気や害虫を、容易に特定することができる。
【００４１】
通信部３５は、情報端末１０から受信した情報を、制御部３４に転送する。通信部３５は、制御部３４がデータベース３２から取得した各種の情報を、要求情報を送信してきた情報端末１０に送信する。通信部３５は、例えば、診断情報と、防除情報と、害虫等の害虫の天敵を利用した防除情報と、登録農薬情報と、殺菌剤情報と、農薬散布器具情報とを、情報端末１０に送信する。これらの情報は、サーバ装置３０が提供するウェブサイトのページ形式で、情報端末１０の表示部１５に表示される。また、これらの情報は、サーバ装置３０が提供するウェブサイトから取得可能なファイル形式で、情報端末１０に送信されてもよい。
【００４２】
サーバ装置３０の動作例について説明する。
図１２は、一実施形態における、サーバ装置３０の動作を表すフローチャートである。情報端末１０の操作部１１は、操作キー画像に対する操作を検出する。操作キー画像は、表示部１５に表示されたウェブサイトのページに表示される。情報端末１０の制御部１４は、検出された操作を表す信号を、通信部１３を介してサーバ装置３０に通知する。サーバ装置３０の制御部３４は、検出された操作を表す信号が情報端末１０から通知された場合、このフローチャートに表された動作を実行する。検出された操作を表す信号は、例えば、農薬の銘柄情報を要求する操作を表す信号、農薬の取扱説明書情報を要求する操作を表す信号、又は、農薬の化学物質等安全性データシートを要求する操作を表す信号である。
【００４３】
制御部３４は、検出された操作を表す信号に基づいて、農薬の銘柄情報を要求されたか否かを判定する（ステップＳ１０１）。制御部３４は、農薬の銘柄情報を要求されていない場合（ステップＳ１０１：ＮＯ）、ステップＳ１０２に処理を進める。
【００４４】
制御部３４は、農薬の銘柄情報を要求された場合（ステップＳ１０１：ＹＥＳ）、リンク情報と、画像情報とを含むページを、通信部３５を介して情報端末１０に送信する（ステップＳ１０２）。情報端末１０に送信されるリンク情報は、例えば、メーカーのウェブサイトのアドレスを含む。このメーカーのウェブサイトは、要求された農薬の銘柄情報を表示するページを含む。また、情報端末１０に送信される画像情報は、例えば、要求された農薬の容器の外観を表す画像の情報である。
【００４５】
制御部３４は、検出された操作を表す信号に基づいて、農薬の取扱説明情報を要求されたか否かを判定する（ステップＳ１０３）。制御部３４は、農薬の取扱説明情報を要求されていない場合（ステップＳ１０３：ＮＯ）、ステップＳ１０５に処理を進める。
【００４６】
制御部３４は、農薬の取扱説明情報を要求された場合（ステップＳ１０３：ＹＥＳ）、取扱説明情報を、通信部３５を介して情報端末１０に送信する（ステップＳ１０４）。この取扱説明情報は、制御部３４がデータベース３２から取得した情報でもよいし、制御部３４がサーバ装置４０から取得した情報でもよい。制御部３４は、取扱説明情報を取得可能なウェブサイトを提供するサーバ装置４０のアドレスを、通信部３５を介して情報端末１０に送信してもよい。
【００４７】
制御部３４は、検出された操作を表す信号に基づいて、農薬の化学物質等安全性データシートを要求されたか否かを判定する（ステップＳ１０５）。制御部３４は、農薬の化学物質等安全性データシートを要求されていない場合（ステップＳ１０５：ＮＯ）、処理を終了する。
【００４８】
制御部３４は、農薬の化学物質等安全性データシートを要求された場合（ステップＳ１０５：ＹＥＳ）、化学物質等安全性データシートを、通信部３５を介して情報端末１０に送信する（ステップＳ１０６）。この化学物質等安全性データシートは、制御部３４がデータベース３２から取得した情報でもよいし、制御部３４がサーバ装置４０から取得した情報でもよい。制御部３４は、化学物質等安全性データシートを取得可能なウェブサイトを提供するサーバ装置４０のアドレスを、通信部３５を介して情報端末１０に送信してもよい。
【００４９】
サーバ装置３０が提供するウェブサイトのページを説明する。
図１３は、一実施形態における、サーバ装置３０が提供するウェブサイトのトップページの図である。図１３では、トップページは、作物の病気、害虫や鳥獣害情報を検索するための操作キー画像１００と、登録農薬情報を検索するための操作キー画像１０１とを含む。農業従事者が操作部１１を介して操作キー画像１００を押下操作した場合、通信部１３は、図１４〜図１６に示すページをサーバ装置３０から受信する。
【００５０】
図１４は、一実施形態における、目次を含むページの第１の図である。この目次のページは、総合目次を含む。図１４では、目次のページは、作物の病気や害虫を検索するための操作キー画像２００を含む。図１４では、目次のページは、北海道の主要病害虫を検索するための操作キー画像２０１を含む。図１４では、目次のページは、雑草を検索するための操作キー画像２０２を含む。図１４では、目次のページは、薬害診断を検索するための操作キー画像２０３を含む。図１４では、目次のページは、作物における病気の発生部位と、作物における病気の症状の特徴とから、作物に発生した病気等を検索するための操作キー画像２０４を含む。農業従事者が操作部１１を介して操作キー画像２００を押下操作した場合、通信部１３は、図１７に示すページをサーバ装置３０から受信する。また、農業従事者が操作部１１を介して操作キー画像２０４を押下操作した場合、通信部１３は、図２２に示すページをサーバ装置３０から受信する。
【００５１】
図１５は、一実施形態における、目次を含むページの第２の図である。図１５では、目次のページは、防除の方法を検索するための操作キー画像を含む。図１５では、目次のページは、病気又は害虫を作物名に基づいて検索するための操作キー画像３００と、病気又は害虫を病名に基づいて検索するための操作キー画像３０１と、病気又は害虫を害虫名に基づいて検索するための操作キー画像３０２とを含む。
【００５２】
図１５では、目次のページは、雑草の防除法を検索するための操作キー画像３０３と、除草剤の特性と使い方を検索するための操作キー画像３０４と、除草剤を検索するための操作キー画像３０５とを含む。図１５では、目次のページは、総合防除の考え方と実際を検索するための操作キー画像３０６と、農薬以外による防除法と資材を検索するための操作キー画像３０７とを含む。図１５では、目次のページは、天敵を利用した防除を天敵の種類に基づいて検索するための操作キー画像３０８と、天敵の同定法と飼育法を天敵の種類に基づいて検索するための操作キー画像３０９とを含む。農業従事者が操作部１１を介して操作キー画像３０６を押下操作した場合、通信部１３は、図２４に示すページへのリンクを有するページを、サーバ装置３０から受信する。
【００５３】
図１６は、一実施形態における、目次を含むページの第３の図である。図１６では、目次のページは、登録農薬を検索するための操作キー画像４００を含む。農業従事者が操作部１１を介して操作キー画像４００を押下操作した場合、通信部１３は、図２５に示すページをサーバ装置３０から受信する。図１６では、目次のページは、殺菌剤又は殺虫剤の解説を農薬名に基づいて検索するための操作キー画像４０１を含む。図１６では、目次のページは、農薬散布器具を検索するための操作キー画像４０２を含む。図１６では、目次のページは、予察器具、耐性及び抵抗性の検定情報を検索するための操作キー画像４０３を含む。図１６では、目次のページは、農薬中毒の基礎知識を検索するための操作キー画像４０４を含む。
【００５４】
図１７は、一実施形態における、作物名を絞り込むためのページの図である。作物名を絞り込むためのページは、作物名の頭文字を農業従事者が選択するための操作キー画像群を含む。農業従事者が操作部１１を介して操作キー画像４０５を押下操作した場合、通信部１３は、図１８に示すページをサーバ装置３０から受信する。
【００５５】
図１８は、一実施形態における、絞り込んだ作物名から作物名を選択するためのページの図である。絞り込んだ作物名から作物名を選択するためのページは、農業従事者が操作部１１を介して絞り込んだ作物名を含む。農業従事者が操作部１１を介して操作キー画像４０６を押下操作した場合、通信部１３は、図１９に示すページをサーバ装置３０から受信する。
【００５６】
図１９は、一実施形態における、選択した作物名の作物の診断情報を含むページの図である。選択した作物名の作物の診断情報を含むページは、操作キー画像４０６に対応付けられた作物「トマト」の病気及び害虫に対応付けられた操作キー画像群と、作物「トマト」の画像群とを含む。例えば、作物の画像５００は、操作キー画像５０１に対応付けられた画像である。農業従事者が操作部１１を介して操作キー画像５０１を押下操作した場合、通信部１３は、図２０及び図２１に示すページをサーバ装置３０から受信する。
【００５７】
図２０は、一実施形態における、診断情報を含むページの第１の図である。診断情報を含むページは、農業従事者が操作部１１を介して選択した作物の病気に対応付けられた画像や、その病気の診断に必要な情報を含む。病気の診断に必要な情報は、例えば、作物の色や大きさを表す情報である。
【００５８】
図２１は、一実施形態における、診断情報を含むページの第２の図である。診断情報を含むページは、作物の被害の様子を表す情報と、作物の病気の診断のポイントを表す情報とを含む。診断情報を含むページは、病原や虫の生態を表す情報と、病原や虫の発生しやすい条件を表す情報と、対策を表す情報とを含む。
【００５９】
図２２は、一実施形態における、診断情報を作物ごとに検索するためのページの図である。診断情報を作物ごとに検索するためのページは、作物を選択するための操作キー画像群を含む。農業従事者が操作部１１を介して操作キー画像６００を押下操作した場合、通信部１３は、図２３に示すページをサーバ装置３０から受信する。
【００６０】
図２３は、一実施形態における、診断情報を作物の部位ごとに表すページの図である。診断情報を作物の部位ごとに表すページでは、作物の部位ごとに、作物の病気が分類されている。診断情報を作物の部位ごとに表すページでは、作物の病気と、その病気を表す画像（イラスト）とが、互いに対応付けられて表示されてもよい。農業従事者が操作部１１を介して操作キー画像６０１を押下操作した場合、通信部１３は、図２０及び図２１に示すページをサーバ装置３０から受信する。
【００６１】
図２４は、一実施形態における、総合防除情報を表すページの図である。総合防除情報を表すページは、総合防除の考え方と実際を表す情報を含む。総合防除の考え方と実際を表す情報は、対象害虫とその発生時期を表す情報を含む。対象害虫を表す情報は、その対象害虫の名称と画像を含む。
【００６２】
次に、登録農薬情報の検索について説明する。
図２５は、一実施形態における、登録農薬情報を検索するためのページの図である。登録農薬情報を検索するためのページは、登録農薬情報を作物名に基づいて検索するための操作キー画像７００と、登録農薬情報を農薬名に基づいて検索するための操作キー画像７０１と、登録農薬情報を農薬の種類に基づいて検索するための操作キー画像７０２とを含む。
【００６３】
農業従事者が操作部１１を介して操作キー画像７００を押下操作した場合、通信部１３は、図２６に示すページへのリンクを有するページを、サーバ装置３０から受信する。農業従事者が操作部１１を介して操作キー画像７０１を押下操作した場合、通信部１３は、図２９に示すページをサーバ装置３０から受信する。農業従事者が操作部１１を介して操作キー画像７０２を押下操作した場合、通信部１３は、図３３に示すページをサーバ装置３０から受信する。
【００６４】
図２６は、一実施形態における、絞り込んだ作物名から病気等を検索するためのページの図である。絞り込んだ作物名から病気等を検索するためのページは、その作物名の作物に対応付けられた病気を検索するための操作キー画像７０３を含む。農業従事者が操作部１１を介して操作キー画像７０３を押下操作した場合、通信部１３は、図２７に示すページへのリンクを有するページを、サーバ装置３０から受信する。
【００６５】
図２７は、一実施形態における、作物の病気から農薬の使い方を検索するためのページの図である。作物の病気から農薬の使い方を検索するためのページは、農薬の使い方を表す情報と、農薬の種類を表す情報と、農薬の成分別の使用回数を表す情報と、農薬の適用表をダウンロードするための操作キー画像７０４とを含む。農薬の使い方を表す情報は、農薬名と、劇物毒物であるか否かを表す情報と、作物や場所を表す情報と、希釈倍数や散布分量を表す情報と、使用時期を表す情報と、使用回数を表す情報と、使用方法を表す情報とを含む。農薬の種類を表す情報は、農薬名と、一般名と、農薬の系統と、農薬の効果等とを表す情報とを含む。農薬の成分別の使用回数を表す情報は、農薬名と、成分名とを含む。農業従事者が操作部１１を介して操作キー画像７０４を押下操作した場合、通信部１３は、図２８に示す農薬の適用表の電子ファイルを、サーバ装置３０から受信する。
【００６６】
図２８は、一実施形態における、作物の病気に対応付けられた農薬の適用表を表す図である。図２８では、農薬の適用表は、農薬名と、新薬であるか否かを表す情報と、劇物や毒物であるか否かを表す情報と、希釈倍率を表す情報と、散布分量を表す情報と、使用時期を表す情報と、使用回数を表す情報と、使用方法を表す情報と、作物を表す情報と、場所を表す情報と、対象とする病気を表す情報と、目的を表す情報と、農薬の一般名を表す情報と、殺菌剤を表す情報と、適用農薬名を表す情報と、農薬の成分別の使用回数を表す情報と、農薬の登録番号を表す情報と、農薬の銘柄名を表す情報とを含む。
【００６７】
図２９は、一実施形態における、農薬名を絞り込むためのページの図である。農薬名を絞り込むためのページは、農薬名の頭文字を農業従事者が選択するための操作キー画像群を含む。農業従事者が操作部１１を介して操作キー画像７０５を押下操作した場合、通信部１３は、図３０に示すページをサーバ装置３０から受信する。
【００６８】
図３０は、一実施形態における、絞り込んだ農薬名から農薬名を選択するためのページの図である。絞り込んだ農薬名から農薬名を選択するためのページは、農薬名を農業従事者が選択するための操作キー画像群を含む。いずれかの操作キー画像を農業従事者が操作部１１を介して押下操作した場合、通信部１３は、押下操作された操作キー画像に応じて、図３１に示すページをサーバ装置３０から受信する。
【００６９】
図３１は、一実施形態における、農薬の詳細情報を検索するためのページの図である。農薬の詳細情報を検索するためのページは、サーバ装置４０にアクセスするための操作キー画像８００と、農薬の容器の外観を表す画像を取得するための操作キー画像８０１と、農薬の取扱説明情報を取得するための操作キー画像８０２と、化学物質等安全性データシートを取得するための操作キー画像８０３と、農薬の適用表を取得するための操作キー画像８０４と、農薬の成分情報及び属性情報を取得するための操作キー画像８０５とを含む。農業従事者が操作部１１を介して操作キー画像８０４を押下操作した場合、通信部１３は、図３２に示す農薬の適用表の電子ファイルを、サーバ装置３０から受信する。
【００７０】
図３２は、一実施形態における、農薬の適用表を表す図である。図３２では、農薬の適用表は、作物名を表す情報と、適用される病害虫及び雑草の名称を表す情報と、目的を表す情報と、希釈倍数を表す情報と、散布液量を表す情報と、使用時期を表す情報と、使用回数を表す情報と、使用方法を表す情報と、適用地帯を表す情報と、成分ごとの使用回数を表す情報と、登録番号を表す情報と、銘柄名を表す情報とを含む。
【００７１】
図３３は、一実施形態における、農薬の種類から農薬名を絞り込むためのページの図である。農薬の種類から農薬名を絞り込むためのページは、農薬の種類の名称の頭文字を農業従事者が選択するための操作キー画像群を含む。農業従事者が操作部１１を介して操作キー画像９００を押下操作した場合、通信部１３は、図３４に示すページをサーバ装置３０から受信する。
【００７２】
図３４は、一実施形態における、農薬名を絞り込むためのページの図である。農薬名を絞り込むためのページは、農薬名を農業従事者が選択するための操作キー画像群を含む。操作キー画像９０１を農業従事者が操作部１１を介して押下操作した場合、通信部１３は、図３１に示すページをサーバ装置３０から受信する。
【００７３】
以上のように、実施形態のサーバ装置３０は、データベース３２と、制御部３４と、通信部３５とを備える。データベース３２は、作物に予め対応付けられた情報と、作物の画像とを対応付けて記憶する。制御部３４は、作物に予め対応付けられた情報に基づいて、作物の画像を検索する。通信部３５は、検索された作物の画像を情報端末に送信する。
【００７４】
この構成により、制御部３４は、作物に予め対応付けられた情報に基づいて、作物の画像を検索する。通信部３５は、検索された作物の画像を情報端末に送信する。これにより、実施形態のサーバ装置３０、データベースシステム１、及び検索プログラムは、作物の被害を農業従事者に診断させることができる。
【００７５】
作物名と、病名と、害虫名と、鳥獣名と、雑草名との情報及び画像をデータベース化したので、農業従事者は、インターネットを利用して、実際の作物と画像とを照らし合わせながら、作物の被害の状態を調べることができる。農業従事者は、作物で被害が発生している部位と、画像と、文字情報とに基づいて、作物の被害を診断することができる。
【００７６】
農業従事者は、診断に基づいて、防除情報を参照することができる。防除情報は、総合防除情報と、害虫等に対する天敵を利用した防除情報と、農薬を使用する防除情報と、殺菌剤情報と、殺虫剤情報と、除草剤情報と、散布器具と、予察器具情報とのうち、少なくとも一つを含んでもよい。農業従事者は、インターネットを利用して、農薬を選択することができる。農業従事者は、農薬のメーカーのウェブサイトに、容易にアクセスすることができる。農業従事者は、農薬情報を容易に取得することができる。農業従事者は、選択された農薬を、容易に購入することができる。農業従事者は、選択された農薬の在庫情報を、容易に取得することができる。
【００７７】
農業従事者は、作物名、農薬名や、農薬の種類等に基づいて、適用情報（適用表）を取得することができる。適用情報は、作物ごと又は農薬ごとの適用情報でもよい。農業従事者は、農薬の使用方法を表す情報を取得することができる。農業従事者には、農薬の使用方法等に関する商品情報であって、農薬のメーカーが有する商品情報が提供される。農業従事者は、農薬を購入するまでの一貫した流れの中で、必要な情報を入手することができる。農業従事者は、農薬のメーカーのウェブサイトへのリンク情報が提供されるので、農薬を購入するまでの一貫した流れの中で、必要な情報を入手することができる。作物名は、農林水産省によって登録された作物名でもよい。農薬名は、農林水産省によって登録された農薬名でもよい。農薬の種類は、農林水産省によって分類された種類でもよい。
【００７８】
以上、この発明の実施形態について図面を参照して詳述してきたが、具体的な構成はこの実施形態に限られるものではなく、この発明の要旨を逸脱しない範囲の設計等も含まれる。
【００７９】
なお、以上に説明したデータベースシステム１と、サーバ装置３０と、情報端末１０とを実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。
【００８０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００８２】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００８３】
（付記）
実施形態のサーバ装置は、データベースと、制御部と、通信部とを備える。データベースは、作物に予め対応付けられた情報と、作物の画像とを対応付けて記憶する。制御部は、作物に予め対応付けられた情報に基づいて、作物の画像を検索する。通信部は、検索された作物の画像を情報端末に送信する。
【符号の説明】
【００８４】
１…データベースシステム、１０…情報端末、１１…操作部、１２…記憶部、１３…通信部、１４…制御部、１５…表示部、１６…カメラ、２０…通信回線、３０…サーバ装置、３１…操作部、３２…データベース、３３…記憶部、３４…制御部、３５…通信部、１００…操作キー画像、１０１…操作キー画像、２００…操作キー画像、２０１…操作キー画像、２０３…操作キー画像、２０４…操作キー画像、３００…操作キー画像、３０１…操作キー画像、３０２…操作キー画像、３０３…操作キー画像、３０４…操作キー画像、３０５…操作キー画像、３０６…操作キー画像、３０７…操作キー画像、３０８…操作キー画像、３０９…操作キー画像、４００…操作キー画像、４０１…操作キー画像、４０２…操作キー画像、４０３…操作キー画像、４０４…操作キー画像、４０５…操作キー画像、４０６…操作キー画像、５００…画像、５０１…操作キー画像、６００…操作キー画像、６０１…操作キー画像、７００…操作キー画像、７０１…操作キー画像、７０２…操作キー画像、７０３…操作キー画像、７０４…操作キー画像、７０５…操作キー画像、８００…操作キー画像、８０１…操作キー画像、８０２…操作キー画像、８０３…操作キー画像、８０４…操作キー画像、８０５…操作キー画像、９００…操作キー画像、９０１…操作キー画像
【図１】
2019061706.tif 000003
【図２】
2019061706.tif 000004
【図３】
2019061706.tif 000005
【図４】
2019061706.tif 000006
【図５】
2019061706.tif 000007
【図６】
2019061706.tif 000008
【図７】
2019061706.tif 000009
【図８】
2019061706.tif 000010
【図９】
2019061706.tif 000011
【図１０】
2019061706.tif 000012
【図１１】
2019061706.tif 000013
【図１２】
2019061706.tif 000014
【図１３】
2019061706.tif 000015
【図１４】
2019061706.tif 000016
【図１５】
2019061706.tif 000017
【図１６】
2019061706.tif 000018
【図１７】
2019061706.tif 000019
【図１８】
2019061706.tif 000020
【図１９】
2019061706.tif 000021
【図２０】
2019061706.tif 000022
【図２１】
2019061706.tif 000023
【図２２】
2019061706.tif 000024
【図２３】
2019061706.tif 000025
【図２４】
2019061706.tif 000026
【図２５】
2019061706.tif 000027
【図２６】
2019061706.tif 000028
【図２７】
2019061706.tif 000029
【図２８】
2019061706.tif 000030
【図２９】
2019061706.tif 000031
【図３０】
2019061706.tif 000032
【図３１】
2019061706.tif 000033
【図３２】
2019061706.tif 000034
【図３３】
2019061706.tif 000035
【図３４】
2019061706.tif 000036